(57)【要約】【課題】強度に優れかつ十分な重量が得られるうえに、魚の興味を引きつける機能に優れた疑似餌を提供する。【解決手段】  ガラス製の疑似餌本体２と、疑似餌本体２の長さ方向に沿う両縁の各端面２Ｃ，２Ｄにそれぞれ装着され全体の重心が一方の端面２Ｄの側へ偏るように異なる重さに設定された一対の金属製の縁枠３，４とから成る。各縁枠３，４は、疑似餌本体２の対応する端面２Ｃ，２Ｄの厚みの全体を全長にわたってそれぞれ覆った状態で前部および後部が一体に結合されている。前部の結合部５Ａには釣り糸１２が接続され、前部および後部の各結合部５Ａ，５Ｂには釣り針１１，１１が装着されている。【選択図】図１
2010094103.tif 000002
【特許請求の範囲】
【請求項１】
ガラス製または合成樹脂製の透光性を有する疑似餌本体と、疑似餌本体の長さ方向に沿う両縁の各端面にそれぞれ装着され疑似餌全体の重心が一方の端面の側へ偏るように異なる重さに設定された一対の縁枠とから成り、各縁枠は、疑似餌本体の対応する端面の厚みの全体を全長にわたってそれぞれ覆った状態で前部および後部が一体に結合され、縁枠の前部の結合部は釣り糸の接続が可能に形成されるとともに、縁枠の前部の結合部と後部の結合部の少なくとも一方は釣り針の装着が可能に形成されて成る疑似餌。
【請求項２】
疑似餌本体は、少なくとも２枚のガラス製または合成樹脂製の板材を重ね合わせて一体接合されて成るものである請求項１に記載された疑似餌。
【請求項３】
疑似餌本体は、内部に網状またはシート状の補強部材が設けられている請求項１または２に記載された疑似餌。
【請求項４】
疑似餌本体は、内部に光輝性部材と蓄光部材との少なくとも一方が設けられている請求項１〜３のいずれかに記載された疑似餌。
【請求項５】
疑似餌本体の少なくとも一方の端面と縁枠の内面との間には、疑似餌本体が厚み方向へ抜けない抜止め状態で係合する係合部が形成されている請求項１に記載された疑似餌。
【請求項６】
各縁枠は、外面に蓄光部材が設けられている請求項１に記載された疑似餌。
【請求項７】
疑似餌本体および各縁枠は、長さ方向と直交する中心線に対して前後が対称な形状であり、疑似餌全体の重心が中心線上に位置している請求項１に記載された疑似餌。
【請求項８】
疑似餌本体および各縁枠は、長さ方向と直交する中心線に対して前後が非対称な形状であり、疑似餌全体の重心が中心線に対して前部または後部のいずれか一方の側へ偏っている請求項１に記載された疑似餌。
【発明の詳細な説明】
【技術分野】
【０００１】
この発明は、魚釣り用の疑似餌に関し、特にこの発明は、疑似餌本体がガラスまたは合成樹脂により形成されている疑似餌に関する。
【背景技術】
【０００２】
従来、その種の疑似餌は、一般に外形が魚の形状に似せてあり、前部（頭部）および後部（尾部）は先が細くなっている。疑似餌の内部には、魚の興味を引きつけるために、光輝性粒子などが埋設され、外部からの光が光輝性粒子に当たると、光が四方へ散乱して光り輝くようになっている。疑似餌の前部や後部は先が細いため、ガラス製のものは強度に乏しく、破損のおそれがある。ガラスに代えて合成樹脂を用いた場合は、破損のおそれは少なくなるが、軽量であるため、錘を設けて沈降速度を高めかつ水の流れの影響を受けないようにする必要がある。
【０００３】
上記した課題を解決するため、本願の出願人は、先般、ガラス製または合成樹脂製の疑似餌本体の前部および後部に金属製のキャップを嵌めて特に前部および後部の強度を高めるとともに全体の重量を重くしたものや、ガラス製の疑似餌本体の両側縁に沿ってそれぞれ縁枠部材を装着して疑似餌本体の全体の強度を高めたものを提案した（例えば、特許文献１，２）。これらの疑似餌は、魚の興味を引きつけることが可能なように、疑似餌本体の内部に粉状、粒状、薄膜状の光輝性部材や蓄光部材が設けられており、これにより、外部からの光が光輝性部材に当たって四方へ散乱したり、光を蓄えた蓄光部材が夜間に光を放つたりするようになっている。
【０００４】
【特許文献１】特開２０００−２９５９４０号公報
【特許文献２】特許第４０２１９３２号公報
【発明の開示】
【発明が解決しようとする課題】
【０００５】
しかしながら、上記した構成の疑似餌は、全体の重心が疑似餌本体のほぼ中心に位置するため、水中を移動するとき、光が透過したり反射したりする面が上下方向を向く横倒しの姿勢となるため、周辺の魚の興味を引きつける機能に乏しいという問題がある。
【０００６】
この発明は、上記した問題に着目してなされたもので、光が透過したり反射したりする面が左右の両側方を向いた起立した姿勢となるように構成することにより、強度に優れかつ十分な重量が得られるうえに、魚の興味を引きつける機能に優れた疑似餌を提供することを目的とする。
【課題を解決するための手段】
【０００７】
この発明による疑似餌は、ガラス製または合成樹脂製の透光性を有する疑似餌本体と、疑似餌本体の長さ方向に沿う両縁の各端面にそれぞれ装着され全体の重心が一方の端面の側へ偏るように異なる重さに設定された一対の縁枠とから成るものである。各縁枠は、疑似餌本体の対応する端面の厚みの全体を全長にわたってそれぞれ覆った状態で前部および後部が一体に結合され、縁枠の前部の結合部は釣り糸の接続が可能に形成されるとともに、縁枠の前部の結合部と後部の結合部の少なくとも一方は釣り針の装着が可能に形成されている。
【０００８】
この発明の上記した構成において、疑似餌本体の長さ方向に沿う両縁の各端面にそれぞれ装着される縁枠の重量を異ならせて疑似餌全体の重心が一方の端面の側へ偏るようにしたので、疑似餌が水中を沈降もしくは移動するとき、光が透過したり反射したりする面が左右の両側方を向いた起立した姿勢となり、周辺の魚の興味を十分に引きつけることができる。また、疑似餌本体が物理的強度に乏しいガラス製であっても、その両縁の各端面は厚みの全体を全長にわたって縁枠により覆われているので、疑似餌本体の強度が高められて破損するおそれは少なくなる。さらに、疑似餌本体が軽量な合成樹脂製であっても、縁枠によって重量が付加されるので、水中での沈降速度が高められ、沈降時や引寄せ時に水の流れの影響を受けることも少なくなる。さらにまた、各縁枠の前部同士および後部同士がそれぞれ一体に結合されているので、例えば、釣り針に魚が食い付いて疑似餌に強い引張力が作用しても、縁枠が疑似餌本体から剥されるおそれがない。
【０００９】
この発明の上記した構成において、疑似餌本体は、透光性を有していれば透明であっても半透明であってもよく、また、無色であっても着色されたものであってもよい。
疑似餌本体は、ガラスまたは合成樹脂によって形成されるが、ガラスの表面を合成樹脂で被覆したものを用いてもよい。ガラスには板ガラスの他、石英ガラスなどの強化ガラスを用いることができる。合成樹脂はアクリル樹脂が好適であるが、これに限らず、紫外線を遮断する合成樹脂を用いれば、劣化を抑えることができる。各縁枠は、ステンレス製であるのが好適であるが、ステンレスに代えて、鋳鉄や銅などを用いることも可能である。また、強度を有していれば、合成樹脂材を用いて製作することもできるが、強度を一層高めかつ重量化をはかるために、合成樹脂材に金属粉や金属粒などを混入するとよい。
【００１０】
この発明の好ましい実施態様においては、疑似餌本体は、少なくとも２枚のガラス製または合成樹脂製の板材を重ね合わせて一体接合されて成るものである。重ね合わせる板材の枚数は２枚であっても３枚以上であってもよい。
この実施態様によると、重ねられた板材と板材との間に光輝性部材などを容易に設けることができる。重ねられた板材は、全体または外周部を透明の接着剤により接着することにより一体化するのが望ましい。なお、疑似餌本体は、必ずしも板材を重ねて形成する必要はなく、全体が一体のものであってもよい。
【００１１】
この発明のさらに好ましい実施態様においては、疑似餌本体は、内部に網状またはシート状の補強部材が設けられている。
この実施態様によると、補強部材によって疑似餌本体の強度が高められる。また、板材を重ね合わせた部分に網状の補強部材を介在させると、板材間に隙間が設定されるので、各網目の隙間に光輝性部材などを配設することができる。
【００１２】
この発明の好ましい実施態様においては、疑似餌本体は、内部に光輝性部材と蓄光部材との少なくとも一方が設けられている。
この光揮性部材は、例えば、ガラス板の表面またはガラス板の重ね合わせ面に、それぞれ焼付印刷によって設けることができる。光輝性部材として、例えば、金粉や色粉のような粉状や粒状のもの、アルミ箔やマイカのような薄膜状のものの他、ガラス玉や金属球などを疑似餌本体の内部に埋設することができる。この実施態様によれば、外部からの光が光輝性部材に当たって四方へ散乱したり、光輝性部材の色調が見る角度によって変化したりするので、魚の興味を引きつけることができる。また、蓄光部材を用いれば、自然光および人工光が蓄光材料に蓄えられ、暗くなっても蓄光部材が光を放つので、夜間や水深の深い所であっても魚の興味を引きつけることができる。なお、蓄光部材は、各縁枠の外面に設けてもよい。
【００１３】
この発明の上記した構成において、疑似餌本体の各端面と縁枠との間はそれぞれ接着剤により接合するのが望ましいが、好ましい実施態様においては、疑似餌本体の両縁枠間からの抜けを防止するために、疑似餌本体の少なくとも一方の端面と縁枠の内面との間に、疑似餌本体が厚み方向へ抜けない抜止め状態で係合する係合部が形成されている。この係合部は、例えば、一方を凹部により構成し、他方をその凹部と嵌合する凸部により構成する。
【００１４】
疑似餌本体および各縁枠は、長さ方向と直交する中心線に対して前後が対称な形状であっても前後が非対称な形状であってもよい。前後が対称な形状では疑似餌全体の重心が中心線上に位置するが、前後が非対称な形状では疑似餌全体の重心が中心線に対して前部または後部のいずれか一方の側へ偏っている。この実施態様によると、水中で疑似餌全体が前後に傾くことで沈降時や引寄せ時の方向が定まって水の抵抗が小さくなる。
【発明の効果】
【００１５】
この発明によると、疑似餌が水中を移動するとき、光が透過したり反射したりする面が左右両側方を向く起立した姿勢となるので、周辺の魚の興味を十分に引きつけることができる。また、疑似餌本体が物理的強度に乏しいガラス製であっても、縁枠によって疑似餌本体の強度が高められて破損の可能性が少なくなる。さらに、疑似餌本体が軽量な合成樹脂製であっても、縁枠によって重量が付加され、水中での沈降速度が高められ、水の流れの影響を受けることも少ない。さらにまた、各縁枠の前部または後部が一体に結合されているので、例えば、釣り針に魚が食い付いて疑似餌に強い引張力が作用しても、縁枠が疑似餌本体から剥されるおそれがない。
【発明を実施するための最良の形態】
【００１６】
図１および図２は、この発明の一実施例である疑似餌１の外観を示している。図示例の疑似餌１は、前後に細長い形状のガラス製の疑似餌本体２と、疑似餌本体２の長さ方向に沿う両縁の各端面２Ｃ，２Ｄにそれぞれ装着される一対の金属製の縁枠３，４とから成るものである。
【００１７】
疑似餌本体２は、図３に示すように、一定の厚みｔを有する板状体であり、透光性を有し、表裏両面が光を透過したり反射したりする面Ｐ，Ｑとなっている。また、疑似餌本体２は、先が細い前部２Ａおよび後部２Ｂを有し、図２に示すように、長さ方向と直交する中心線ａに対して前後が対称な形状になっており、さらに、長さ方向に沿う中心線ｂに対して上下が対称な形状となっている。各縁枠３，４は同じ幅であり、疑似餌本体２の厚みｔと一致している。各縁枠３，４の厚みｓ１，ｓ２はいずれも全長にわたってほぼ均一であるが、一方の縁枠４の厚みｓ２は他方の縁枠３の厚みｓ１より厚く設定されている。これにより一方の縁枠４の重量が他方の縁枠３の重量より重くなり、疑似餌全体の重心Ｇは中心線ａ上の縁枠４の側に偏った位置にある。
【００１８】
この実施例の各縁枠３，４はステンレス鋼により形成されているが、これに代えて、例えば、鋳鉄や銅を用いて製作してもよい。また、ステンレス鋼としてフラットバー材を用いているが、これに限らず、両側縁が一方に立ち上がったチェンネル材を用いることもできる。チャンネル材の場合、その凹溝内に疑似餌本体２を嵌め込むことになる。
各縁枠３，４は錘を兼ねており、ガラス製の疑似餌本体２も相応の重さを有しているので、別に錘を用いる必要はないが、疑似餌本体２をガラスに代えて合成樹脂を用いた場合は、疑似餌本体２の内部などに錘を埋設することもできる。
この疑似餌１は、全体の重心Ｇが縁枠４の側に偏り、水中では縁枠４の側が縁枠３の側に対して深く沈んで起立した姿勢となるので、縁枠３の側が上であり、縁枠４の側を下である。
【００１９】
各縁枠３，４の前部３Ａ，４Ａおよび後部３Ｂ，４Ｂは平板状であり、残りの中間部分は疑似餌本体２の両縁に沿う湾曲形状になっている。各縁枠３，４の幅でと疑似餌本体２の厚みｔとが一致するので、各縁枠３，４は疑似餌本体２の対応する端面２Ｃ，２Ｄの厚みｔの全体を全長にわたってそれぞれ覆い、前部３Ａ，４Ａ同士および後部３Ｂ，４Ｂ同士がそれぞれ重なり合って一体に結合されている。縁枠３，４の前部３Ａ，４Ａの結合部５Ａには釣り糸１２が接続され、縁枠３，４の前部３Ａ，４Ａの結合部５Ａと後部３Ｂ，４Ｂの結合部５Ｂにはそれぞれ釣り針１１が装着されている。
【００２０】
なお、図示例の疑似餌本体２および各縁枠３，４は、中心線ａに対して前後が対称な形状であるが、図１０に示すように、疑似餌２の後半分を前半分より幅の広い形状とし、その形状に各縁枠３，４の形状を対応させるなどして、後半分と前半分の重量比を７対３、または６対４などに設定することもでき、この場合は、全体の重心Ｇが中心線ａより後側に偏る。
また、図１に示す実施例の疑似餌本体２は、中心線ｂに対して上下が対称な形状になっているが、疑似餌２の下半分を上半分より幅の広い形状とするなどして上下を非対称な形状となし、その形状に各縁枠３，４の形状を対応させるようにしてもよい。
中心線ａ，ｂに対して前後や上下が非対称な形状とすると、水中での疑似餌１の動きに変化をつけることができる。
【００２１】
この実施例の疑似餌本体２は、図５に示すように、同じ厚みの２枚の透明なガラス製の板材２０，２０を重ね合わせ、その外周縁を接着剤により一体接合して成る。接着剤はその用途に応じて透明または不透明なものを用いるが、ＵＶ接着剤などの接着剤を用いて隙間が生じないように板材２０，２０間の外周縁部を完全にシールするのが望ましい。各板材２０は、長さ方向の中央部の幅が広く、中央部から前部および後部にかけて次第に幅が細くなっている。
【００２２】
なお、２枚の板材２０には板ガラスを用いているが、成形ガラスを用いてもよい。また、疑似餌本体２は２枚の板材２０，２０を接合したものに限らず、図６に示すような一体ものであってもよい。図６の疑似餌本体２には後述する補強部材６，光輝性部材７，蓄光部材８を設けるための溝２１が設けられている。さらに、疑似餌本体２の強度を増すために、疑似餌１の全体または疑似餌本体２の表裏面Ｐ，Ｑを透明の合成樹脂塗料を用いてコーティングすることにより保護被膜を形成してもよい。
なお、この実施例の疑似餌本体２はガラス製であるが、ガラスに代えてアクリル樹脂などの合成樹脂を用いて構成してもよい。この場合に、前後が一体結合された縁枠３，４内に成形済みの疑似餌本体２を嵌め込むことにより疑似餌１を形成してもよいが、前後が一体結合された縁枠３，４内に溶融樹脂を流し込んで鋳込むことにより疑似餌本体２を形成してもよい。
【００２３】
疑似餌本体２の内部、すなわち、２枚の板材２０，２０の重ね合わせ部分には、疑似餌本体２の強度を高めるための網状の補強部材６が介在させてある。この実施例では金属製の補強部材６を用いているが、これに限らず、ナイロン製やテトロン（登録商標）製などの補強部材を用いてもよい。
補強部材６は、所定の直径の線材６０を縦横に編んで形成されており、板材２０，２０間には、補強部材６の各網目内に線材６０の直径に相当する隙間が存在する。なお、線材６０に沿って接着剤を塗布すれば板材２０，２０の一体化を高めることができる。
【００２４】
補強部材６の一部の網目６１には様々な色彩を付した光輝性部材７が、他の一部の網目６２には蓄光部材８が、それぞれ配設されており、その他の網目６３は介在物が存在しない透光部になっている。
上記した網状の補強部材６は、疑似餌本体２の補強に加えて、板材２０，２０間の隙間設定や光輝性部材７や蓄光部材８の保持に有効に機能する。
【００２５】
なお、この実施例では、補強部材６として網状のものを用いているが、これに限らず、シート状のものを用いることができる。この場合、シート状の補強部材６を所定の間隔を設けて配置すれば、補強部材６，６間に光輝性部材７や蓄光部材８を配設することができる。
また、この実施例では、蓄光部材８は、疑似餌本体２だけでなく、各縁枠３，４の外面、図示例では上下方向を向く面に形成した複数個の穴３５の内部に設けるようにしている。各穴３５の開口部は蓄光部材８の装填後に透明の樹脂により塞ぐのが望ましい。なお、蓄光部材８は、各縁枠３，４の両側法を向く面に設けてもよい。
【００２６】
さらに、上記の実施例では、２枚の板材２０，２０間に、外部からの光を受けて光り輝く光輝性部材７や蓄光部材８を配置しているが、これに限らず、発光ダイオードのような発光素子を組み込むことも可能である。その場合に、２枚の板材２０，２０の重合面の少なくとも一方に凹部を形成し、その凹部内に発光素子と電池とを実装した基板を固定する。発光ダイオードとして、多色発光のものや点滅するタイプのものなど、種々のものを用いることができる。
【００２７】
前記縁枠３，４の前部３Ａ，４Ａの結合部５Ａと後部３Ｂ，４Ｂの結合部５Ｂにはそれぞれ貫通孔５０Ａ，５０Ｂが形成され、各貫通孔５０Ａ，５０Ｂにはそれぞれ釣り針１１または釣り糸１２を取り付けるためのリング形状の連結金具５１，５２が取り付けられている。一方の連結金具５１には釣り糸１２と釣り針１１が、他方の連結金具５２には釣り針１１が、それぞれ接続されている。なお、釣り針１１は後側の連結金具５２にのみ取り付けてもよい。
【００２８】
疑似餌本体２の長さ方向に沿う両縁の各端面２Ｃ，２Ｄには各縁枠３，４が接着剤によりそれぞれ接合されている。この実施例では、図４に示すように、一方の縁枠４の内面に接着剤が溜まる凹部４１が複数形成してあり、各凹部４１内で接着剤が固まったとき、固まった接着剤は疑似餌本体２と一体の凸部（図示せず）を構成するようになっている。この凸部と、凸部が嵌合する凹部４１とは、疑似餌本体２が厚み方向へ抜けない抜止め状態で係合する係合部を構成している。
なお、前記の凸部は疑似餌本体２の端面にあらかじめ形成しておいてもよい。また、この実施例では疑似餌本体２の一方の端面２Ｄと縁枠４との間に係合部を形成しているが、それに加えて、他方の端面２Ｃと縁枠３との間に形成してもよい。
【００２９】
各縁枠３，４の前部３Ａ，４Ａの同じ位置に止め孔３２Ａ，４２Ａが、後部３Ｂ，４Ｂの同じ位置に同様の止め孔３２Ｂ，４２Ｂが、それぞれ貫通して形成されている。各縁枠３，４の前部３Ａ，４Ａの連通する止め孔３２Ａ，４２Ａと後部３Ｂ，４Ｂの連通する止め孔３２Ｂ，４２Ｂとにそれぞれリベット５３を差し込んで両端を打ち潰すことにより前部３Ａ，４Ａ間および後部３Ｂ，４Ｂ間をそれぞれ一体に結合し、前記の結合部５Ａ，５Ｂを形成している。なお、図７は、縁枠３，４の前部３Ａ，４Ａの結合部５Ａの構造を拡大して示したものである。
【００３０】
各縁枠３，４の前部３Ａ，４Ａおよび後部３Ｂ，４Ｂは、上記したリベット締めに限らず、スポット溶接により一体に結合することもできる。また、図８に示すように、ネジ５４とナット５５とを用いて結合してもよく、図９に示すように、金属製のキャップ５６を緊密に嵌合することにより結合してもよい。
なお、各縁枠３，４の前部３Ａ，４Ａおよび後部３Ｂ，４Ｂは、その形状を工夫したり模様や色彩を施したりすることにより、疑似餌１のデザイン効果を向上させ、疑似餌１に対する魚の興味をさらに高めることができる。
【００３１】
この発明の上記した構成の疑似餌１を水中に沈めて移動させるとき、疑似餌本体２の一方の端面２Ｄに装着された縁枠４の重量が他方の各端面２Ｃに装着された縁枠３の重量より重く、疑似餌１全体の重心が端面４の側へ偏っているので、疑似餌１は疑似餌本体２の光が透過したり反射したりするフラットな面Ｐ，Ｑが左右両側方を向く起立した姿勢となり、周辺の魚の興味を十分に引きつけることができる。
また、疑似餌本体２が物理的強度に乏しいガラス製であっても、その両縁の各端面２Ｃ，２Ｄは厚みｔの全体が全長にわたって金属製の縁枠３，４により覆われているので、疑似餌本体２の強度が高められて破損するおそれは少なくなっている。さらに、疑似餌本体２を軽量な合成樹脂製により形成しても、金属製の縁枠３，４によって十分な重量が得られるので、水中での沈降速度が高められ、水の流れの影響を受けることも少ない。
さらにまた、各縁枠３，４は前部３Ａ，４Ａ同士および後部３Ｂ，４Ｂ同士がそれぞれ一体に結合されているので、例えば、釣り針１１に魚が食い付いて疑似餌１に強い引張力が作用しても、縁枠３，４が疑似餌本体２から剥されるのが防止される。
【００３２】
さらに、疑似餌本体２は透光性を有するので、水面からの入射光は疑似餌本体２を透過して疑似餌１の下方に達し、疑似餌１より深い位置にいる魚の視界に疑似餌１が入る。また、水底での反射光は疑似餌本体２を透過し、さらに、水面からの入射光は疑似餌本体２の表面で反射するので、疑似餌１より浅い位置にいる魚の視界に疑似餌１が入る。
【００３３】
光が光輝性部材７に当たると、四方に散乱するので、周囲の魚の興味が疑似餌１に引きつけられる。蓄光部材８は光を放つので、夜間や水深の深い所であっても、周囲の魚の興味が疑似餌１に引きつけられる。光輝性部材７や蓄光部材８は補強部材６の一部の網目６１，６２に配置されており、その他の網目６３は透光部になっているので、水面や水底からの光は疑似餌本体２の透光部の位置を透過する。
【図面の簡単な説明】
【００３４】
【図１】この発明の一実施例である疑似餌の外観を示す斜視図である。
【図２】疑似餌の外観を示す側面図である。
【図３】図２の中心線ａに沿う拡大断面図である。
【図４】疑似餌の構成を示す分解斜視図である。
【図５】疑似餌本体の構成を示す分解斜視図である。
【図６】疑似餌本体の他の実施例を示す斜視図である。
【図７】結合部の構造を示す断面図である。
【図８】結合部の他の実施例の構造を示す断面図である。
【図９】結合部の他の実施例の構造を示す断面図である。
【図１０】他の実施例にかかる疑似餌の外観を示す側面図である。
【符号の説明】
【００３５】
１    疑似餌
２    疑似餌本体
２Ｃ，２Ｄ  端面
３，４  縁枠
３Ａ，４Ａ  前部
３Ｂ，４Ｂ  後部
５Ａ，５Ｂ  結合部
６    補強部材
７    光輝性部材
８    蓄光部材
１１  釣り針
１２  釣り糸
ａ，ｂ  中心線
Ｇ    重心
【図１】
2010094103.tif 000003
【図２】
2010094103.tif 000004
【図３】
2010094103.tif 000005
【図４】
2010094103.tif 000006
【図５】
2010094103.tif 000007
【図６】
2010094103.tif 000008
【図７】
2010094103.tif 000009
【図８】
2010094103.tif 000010
【図９】
2010094103.tif 000011
【図１０】
2010094103.tif 000012